(57)【要約】      （修正有）【課題】下りリンク及び上りリンクについて32個までのコンポーネントキャリアのＬＴＥキャリアアグリゲーションを可能にするために必要な技術を提供する。【解決手段】ユーザ装置（ＵＥ１００）は、サービングセル（ｅＮＢ１１２）を介してネットワークに接続し、ＵＥの測定ギャップ能力をネットワークに示す回路を含む。測定ギャップ能力は、ＵＥがキャリアアグリゲーション（ＣＡ）特有測定ギャップをサポートするか否かと、ＵＥが２つ以上の無線周波数（ＲＦ）チェーンを有するか否かとの情報を含む。ＵＥは、２つ以上のＲＦチェーンについてネットワークからＣＡ特有測定ギャップ設定を受信する。【選択図】図４
2020167706.tif 000002
【特許請求の範囲】
【請求項１】
サービングセルを介してネットワークに接続し、
ユーザ装置（UE）の測定ギャップ能力を前記ネットワークに示し、前記測定ギャップ能力は、前記UEがキャリアアグリゲーション（CA）特有測定ギャップをサポートするか否かと、前記UEが２つ以上の無線周波数（RF）チェーンを有するか否かとの情報を含み、
前記２つ以上のRFチェーンの情報に基づいて前記ネットワークからCA特有測定ギャップ設定を受信する回路を含むユーザ装置。
【請求項２】
UE能力情報要素における少なくとも１つのビットを介してCA特有測定ギャップ能力を示すベースバンド回路を含む、請求項１に記載のユーザ装置。
【請求項３】
前記RFチェーンの１つ以上が測定ギャップを設定することで複数の帯域のリストにおいて測定を実行するために利用されるべきか否かの指示と共に、前記２つ以上のRFチェーンに関連する周波数帯域のリストを示すベースバンド回路を含む、請求項１又は２に記載のユーザ装置。
【請求項４】
周波数帯域のリストにおいて測定を実行するための測定ギャップタイプの指示と共に、前記２つ以上のRFチェーンに関連する帯域のリストを示すベースバンド回路を含む、請求項１乃至３のうちいずれか１項に記載のユーザ装置。
【請求項５】
RFインデックスを介して帯域のリストと前記２つ以上のRFチェーンとの間の関連付けを示すベースバンド回路を含む、請求項１乃至４のうちいずれか１項に記載のユーザ装置。
【請求項６】
帯域の１つ以上が測定ギャップ測定設定に必要であるか否かの指示と共に、前記２つ以上のRFチェーンの帯域のリストを示すベースバンド回路を含み、
帯域が測定ギャップ測定に必要ない場合は、前記サービングセルのサービング周波数における下りリンク送信を示し、前記UEは、中断なしに前記サービング周波数において前記下りリンク送信を受信することができる、請求項１乃至５のうちいずれか１項に記載のユーザ装置。
【請求項７】
無線リソース制御（RRC）シグナリングを介して前記UEの前記測定ギャップ能力を示すベースバンド回路を含む、請求項１乃至６のうちいずれか１項に記載のユーザ装置。
【請求項８】
前記測定ギャップ能力は、前記UEが前記ネットワークからの特定のRF帯域要求をサポートするか否かの指示を含む、請求項１乃至７のうちいずれか１項に記載のユーザ装置。
【請求項９】
前記UEの前記測定ギャップ能力のための前記ネットワークからの要求への応答を含むRRCシグナリングを前記ネットワークに送信するベースバンド回路を含む、請求項１乃至８のうちいずれか１項に記載のユーザ装置。
【請求項１０】
前記ネットワークから受信した前記CA特有測定ギャップ設定に従って測定ギャップ測定を実行するベースバンド回路を含む、請求項１乃至９のうちいずれか１項に記載のユーザ装置。
【請求項１１】
ユーザ装置（UE）の装置であって、
サービングセルを介してネットワークに接続し、
前記UEの測定ギャップ能力を前記ネットワークに示し、前記測定ギャップ能力は、複数の帯域の測定ギャップタイプの指示と共に、前記UEの２つ以上の無線周波数（RF）チェーンの複数の帯域のリストを含み、
前記２つ以上のRFチェーンについて前記ネットワークから測定ギャップ設定を受信する回路を含む装置。
【請求項１２】
前記ギャップタイプは、通常測定ギャップ、ミニギャップ若しくはギャップ必要なし、又はこれらのサブセット、又はこれらの組み合わせとすることができる、請求項１１に記載のユーザ装置（UE）の装置。
【請求項１３】
前記ミニギャップは、前記サービングセルのサービング周波数における下りリンク送信が存在することを示し、前記UEは、より小さい値の中断で他の周波数を使用して前記サービング周波数において前記下りリンク送信を受信することができる、請求項１１又は１２に記載のユーザ装置（UE）の装置。
【請求項１４】
キャリアアグリゲーション（CA）特有測定ギャップ能力要求をユーザ装置（UE）に送信し、
前記UEからCA特有測定ギャップ能力応答を受信し、
前記UEに対して設定メッセージに従って測定ギャップ測定を実行させるために、CA特有測定ギャップ設定メッセージを前記UEに送信する回路を含むeNB（enhanced  Node  B）。
【請求項１５】
前記測定ギャップ能力応答は、前記UEがキャリアアグリゲーション（CA）特有測定ギャップをサポートするか否かと、前記UEが２つ以上の無線周波数（RF）チェーンを有するか否かとの情報を含み、
前記eNBは、前記２つ以上のRFチェーンの測定ギャップ設定情報と共に、前記CA特有測定ギャップ設定メッセージを前記UEに送信する回路を含む、請求項１４に記載のeNB。
【請求項１６】
ユーザ装置（UE）により実行された場合、
サービングセルを介してネットワークに接続し、
前記UEの測定ギャップ能力を前記ネットワークに示し、前記測定ギャップ能力は、前記UEがキャリアアグリゲーション（CA）特有測定ギャップをサポートするか否かと、前記UEが２つ以上の無線周波数（RF）チェーンを有するか否かとの情報を含み、２つ以上のRFチェーンについてネットワークからCA特有測定ギャップ設定を受信することを生じるコンピュータプログラム。
【請求項１７】
前記UEにより実行された場合、UE能力情報要素における少なくとも１つのビットを介して前記測定ギャップ能力を示すことを更に生じる、請求項１６に記載のコンピュータプログラム。
【請求項１８】
前記UEにより実行された場合、帯域の１つ以上が測定ギャップ測定に利用されるべきか否かの指示と共に、前記２つ以上のRFチェーンの複数の帯域のリストを示すことを更に生じる、請求項１６又は１７に記載のコンピュータプログラム。
【請求項１９】
前記UEにより実行された場合、複数の帯域の測定ギャップタイプの指示と共に、前記２つ以上のRFチェーンの複数の帯域のリストを示すことを更に生じる、請求項１６乃至１８のうちいずれか１項に記載のコンピュータプログラム。
【請求項２０】
RFインデックスを介して前記２つ以上のRFチェーンの複数の帯域のリストを示すことを更に生じる、請求項１６乃至１９のうちいずれか１項に記載のコンピュータプログラム。
【請求項２１】
前記UEにより実行された場合、帯域の１つ以上が測定ギャップ測定に必要であるか否かの指示と共に、前記２つ以上のRFチェーンの帯域のリストを示すことを更に生じ、帯域が測定ギャップ測定に必要ない場合は、前記サービングセルのサービング周波数における下りリンク送信を示し、前記UEは、中断なしに前記サービング周波数において前記下りリンク送信を受信することができる、請求項１６乃至２０のうちいずれか１項に記載のコンピュータプログラム。
【請求項２２】
前記UEにより実行された場合、無線リソース制御（RRC）シグナリングを介して前記UEの前記測定ギャップ能力を示すことを更に生じる、請求項１６乃至２１のうちいずれか１項に記載のコンピュータプログラム。
【請求項２３】
前記測定ギャップ能力は、前記UEが前記ネットワークからの特定のRF帯域要求をサポートするか否かの指示を含む、請求項１６乃至２２のうちいずれか１項に記載のコンピュータプログラム。
【請求項２４】
前記UEにより実行された場合、前記UEの前記測定ギャップ能力のための前記ネットワークからの要求への応答を含む無線リソース制御（RRC）シグナリングを前記ネットワークに送信することを更に生じる、請求項１６乃至２３のうちいずれか１項に記載のコンピュータプログラム。
【請求項２５】
前記UEにより実行された場合、前記ネットワークから受信した前記CA特有測定ギャップ設定に従って測定ギャップ測定を実行することを更に生じる、請求項１６乃至２４のうちいずれか１項に記載のコンピュータプログラム。
【請求項２６】
請求項１６乃至２５のうちいずれか１項に記載のコンピュータプログラムを記憶した１つ以上のコンピュータ読み取り可能記憶媒体。
【発明の詳細な説明】
【背景技術】
【０００１】
［関連出願への相互参照］
この出願は、2015年4月9日に出願された米国仮出願第62/145,414号（P83806Z）の優先権を主張する。この出願第62/145,414号の全内容を参照により援用する。
【０００２】
［背景技術］
測定ギャップについての現在のロングタームエボリューション（LTE：Long  Term  Evolution）標準では、ネットワークから受信した設定のみがギャップ反復周期であり、新たな実行グループが周波数間／無線アクセス技術（RAT：radio  access  technology）間測定のために導入されている。１つの設定は通常実行グループであり、他の設定は低減実行グループである。各実行グループに属するキャリアは、ネットワークにより設定される。各実行グループは、LTEにおける増加する数のキャリアをサポートするために、異なる測定要件を有する。ユーザ装置（UE：user  equipment）は、低減実行グループに属するキャリアにおける測定の数を緩和することができるため、全てのキャリアの全体の遅延が低減されることができる。しかし、この構成は、UEが複数の無線周波数（RF：radio-frequency）チェーンを有する場合に利用できない。
【０００３】
LTE標準の更なる拡張では、１つの目的は、下りリンク（DL：downlink）及び上りリンク（UL：uplink）について32個までのコンポーネントキャリア（CC：Component  Carrier）のLTEキャリアアグリゲーション（CA：carrier  aggregation）を可能にするために必要な機構を識別することである。キャリアアグリゲーションでは、２つの測定実行グループは、LTEキャリアアグリゲーションが32個までのCCをサポートする場合には十分でない可能性がある。
【図面の簡単な説明】
【０００４】
特許請求の範囲の対象物は、明細書の最後の部分に特に示されており、明確に記載されている。しかし、このような対象物は、添付の図面と共に読まれたときに、以下の詳細な説明を参照することにより理解され得る。
【図１】１つ以上の実施例に従って指定の測定ギャップにおいて１つ以上の周波数の信号レベルを測定することができるユーザ装置を有するネットワークの図である。
【図２】１つ以上の実施例による複数の無線周波数（RF）チェーンを有するユーザ装置の図である。
【図３】１つ以上の実施例による図２のユーザ装置のRF構成の図である。
【図４】１つ以上の実施例による図１のネットワークの設定のためのシグナリングフローの図である。
【図５】１つ以上の実施例に従ってキャリアアグリゲーションの測定ギャップのための無線周波数及び帯域能力を実装することができる情報処理システムのブロック図である。
【図６】１つ以上の実施例に従ってタッチスクリーンを任意選択で含み得る図５の情報処理システムの等角図である。
【図７】１つ以上の実施例による無線デバイスの例示的なコンポーネントの図である。  説明の簡潔性及び／又は明瞭性のため、図面に示す要素は必ずしも縮尺通りに描かれていない。例えば、明瞭性のために、要素のいくつかの寸法は、他の要素に比べて誇張されることがある。さらに、適切であると考えられる場合、対応する要素及び／又は同様の要素を示すために、参照符号が図面の間で繰り返されている。
【発明を実施するための形態】
【０００５】
以下の詳細な説明では、特許請求の範囲の対象物の完全な理解を提供するために、複数の具体的な詳細が示されている。しかし、特許請求の範囲の対象物は、これらの具体的な詳細なしに実施され得ることが当業者により理解される。他の場合にも、周知の方法、手順、コンポーネント及び／又は回路は詳細に記載されていない。
【０００６】
以下の説明及び／又は特許請求の範囲において、結合及び／又は接続という用語は、これらの派生語と共に使用されることがある。特定の実施例において、接続は、２つ以上の要素が相互に直接の物理的及び／又は電気的接触があることを示すために使用され得る。結合は、２つ以上の要素が相互に直接の物理的及び／又は電気的接触があることを意味し得る。しかし、結合は、２つ以上の要素が相互に直接の接触になくてもよいが、依然として相互に協調及び／又は相互作用してもよいことを意味し得る。例えば、「結合」は、２つ以上の要素が相互に接触しないが、他の要素又は中間の要素を介して共に間接的に連結されることを意味し得る。最後に、「上」、「重なる」及び「覆う」という用語が、以下の説明及び特許請求の範囲において使用されることがある。「上」、「重なる」及び「覆う」は、２つ以上の要素が相互に直接の物理的接触にあることを示すために使用され得る。しかし、「覆う」はまた、２つ以上の要素が相互に直接の接触にないことも意味し得る。例えば、「覆う」は、１つの要素が他の要素の上にあるが、相互に接触しておらず、２つの要素の間に他の１つ以上の要素を有してもよいことを意味し得る。さらに、「及び／又は」という用語は、「及び」を意味してもよく、「又は」を意味してもよく、「排他的論理和」を意味してもよく、「１つ」を意味してもよく、「全てではなく、いくつか」を意味してもよく、「どちらでもない」を意味してもよく、及び／又は「双方」を意味してもよいが、特許請求の範囲の対象物の範囲は、この点に限定されない。以下の説明及び／又は特許請求の範囲において、「有する」及び「含む」という用語は、これらの派生語と共に使用されることがあり、相互に同義語であると意図する。
【０００７】
図１を参照して、１つ以上の実施例に従って指定の測定ギャップにおいて１つ以上の周波数の信号レベルを測定することができるユーザ装置を有するネットワークの図について説明する。図１に示すように、ネットワーク100は、ロングタームエボリューション（LTE：Long  Term  Evolution）標準又はLTEアドバンスト（LTE-A：LTE-Advanced）標準のような3GPP（Third  Generation  Partnership  Project）標準に従って動作する無線広域ネットワーク（WWAN：wireless  wide  area  network）を含んでもよいが、特許請求の範囲の対象物の範囲はこの点に限定されない。UE110は、第１eNB（evolved  Node  B）を含んでもよいサービングセル112と通信可能に結合されてもよい。１つ以上の実施例では、eNB1により指定された測定ギャップ中に、UE110は、例えば、所与の測定ギャップ周期中にRSRPを測定するために、周辺eNBにおいて配置されたサービングセル114のような１つ以上のサービングセルの１つ以上の下りリンク（DL：downlink）周波数を測定し、次にeNB1に測定レポートを提供する。このような測定ギャップ設定は、UE110のための専用シグナリングを用いて指定及びシグナリングされ、これにより、UEが１つ以上の所与の周波数において測定を実行することを可能にするために、UE110とサービスセル112との間の下りリンク又は上りリンクスケジューリングは発生しない。いくつかの実施例では、周辺セル114は、サービングセルのeNB1のようなeNBに結合されたスモールセル又はリモートラジオヘッド（RRH：remote  radio  head）を含んでもよい。このような実施例では、周辺セル114は、マイクロセル、ピコセル、フェムトセル等を含んでもよい。他の実施例では、周辺セル114は、サービングセル112と異なるeNBを含んでもよく、或いは異なるeNBと接続されてもよい。例えば、周辺セル114は、eNB2を含んでもよく、或いはeNB2と接続されてもよい。１つ以上の周辺セル114についてUE110により取得された測定結果は、例えば、周辺セルの信号レベルがサービングセル112の信号レベルより良い場合、UE110を新たなセル又はeNBにハンドオーバさせるか否かをeNB1が決定することを可能にする。
【０００８】
測定ギャップ設定は、サービングセル112を介してネットワーク100によりUE110に提供される。１つ以上の実施例によれば、UE110は、UE110の無線周波数（RF：radio-frequency）能力及び帯域能力をネットワーク100に示してもよく、これにより、UE110が２つ以上のRFチェーンを有しており、２つ以上のRFチェーンについて複数の周波数帯域で動作可能である場合、測定遅延を低減するため及び／又は下りリンクデータレートを増加させるため、ネットワーク110は、キャリアアグリゲーションについてのセルグループ特有の測定を設定することができる。複数の周波数帯域で動作する複数のRFチェーンを有するこのようなUE110の例は、図２に示されており、以下に図２に関して説明する。
【０００９】
次に図２を参照して、１つ以上の実施例による複数の無線周波数（RF）チェーンを有するユーザ装置の図について説明する。図２に示すように、UE110は、RFチェーン1（RF  CHAIN1）210、RFチェーン2（RF  CHAIN2）212、第NまでのRFチェーン（RF  CHAIN  N）214のような複数の無線周波数（RF）チェーンを含んでもよい。RFチェーンは、アンテナ216、アンテナ218及びアンテナ220のような複数のアンテナにそれぞれ結合されてもよく、RFチェーンは、プロセッサ222により制御されてもよい。１つ以上の実施例では、RFチェーンの１つ以上は、上りリンク及び／又は下りリンクでデータを送信及び／又は受信するために、１つ以上の周波数帯域で動作することができてもよい。複数の周波数帯域を有するRFチェーンの例は、図３に示されており、以下に図３に関して説明する。
【００１０】
次に図３を参照して、１つ以上の実施例による図２のユーザ装置のRF構成の図について説明する。図３は、UE110の無線周波数（RF）構成の例を示す。図３に示すRF配置は単なる一例であり、UE110は、RFチェーン及び周波数帯域の様々な他の配置を有してもよく、特許請求の範囲の対象物の範囲はこれらの点に限定されない点に留意すべきである。図３に示す例では、UE110は、２つのRFチェーン、RFチェーン1（RF  CHAIN1）210及びRFチェーン2（RF  CHAIN2）212を有してもよい。RFチェーン1は、帯域X及び帯域Yをサポートすることができてもよい。RFチェーン2は、帯域Z及び帯域Lをサポートすることができてもよい。
【００１１】
この例では、UE110は、１つより多くのRFチェーンを有するため、UE110は、測定遅延を低減するため及び／又はスペクトル効率を増加させるため、ギャップ測定のために双方のRFチェーンを使用することができる。現在の仕様では、ネットワーク100は、この種類の情報がないため、UE100において実装された複数のRFチェーンを利用することができない。したがって、キャリアアグリゲーション（CA：carrier  aggregation）又は他の機能若しくは他のギャップのための異なるリソース効率的な測定パターンを実現するために、１つ以上の実施例では、ネットワーク100は、UE100からUE110のRF能力についての指示を受信する。UE110がRF能力をネットワーク100に示すための複数の実施例について、ここで説明する。
【００１２】
第１実施例では、UE110は、キャリアアグリゲーション特有測定ギャップ能力をサポートするか否かをネットワーク110に示してもよい。このような指示は、E-UTRA  UE無線アクセス能力パラメータ及び必須機能の機能グループインジケータをネットワーク100に伝えるためのUE-EUTRA-Capability情報要素（IE：information  element）を介してUE110により行われてもよい。UE-EUTRA-Capability  IEは、E-UTRA（evolved  Universal  Mobile  Telecommunications  System  (UMTS)  Terrestrial  Radio  Access）又は他の無線アクセス技術（RAT：radio  access  technology）を介してネットワーク100に転送されてもよい。このようなUE-EUTRA-Capability  IEの例は、以下に示されている。
【００１３】
【表１】
2020167706.tif 000003
次に図４を参照して、１つ以上の実施例による図１のネットワークの設定のためのシグナリングフローの図について説明する。UE110がUE110の無線周波数（RF）能力をネットワーク100に示すための他の実施例は、キャリアアグリゲーション（CA）特有ギャップ測定指示手順を含んでもよい。このような実施例では、UE110がキャリアアグリゲーション（CA）特有ギャップ測定指示機能をサポートすることをUE110がネットワーク100に示した場合、ネットワーク100が利用可能な測定ギャップパターンの１つを設定するために、ネットワーク100は、どの帯域及びRFの組み合わせをUE110がサポートするかを示すことをUE110に対して問い合わせるため或いはトリガーするために、CA特有要求をUE110に送信することができる。例えば、ネットワーク100は、キャリアアグリゲーションのために帯域Y及び帯域Zの組み合わせを設定してもよく、ネットワーク100は、UE100による測定のために帯域Xを設定してもよい。次に、ネットワーク100は、UE110のRF能力がRF帯域Y若しくはRF帯域Z又は双方を使用して測定帯域Xを満たすことができるか否かを示すために、UE110に要求してもよい。
【００１４】
図４に示すように、ネットワーク100は、例えばeNB1  112を介して、キャリアアグリゲーション特有測定ギャップ「CA特有MG要求」410情報要素（IE）を少なくとも含むメッセージをUE110に送信する。この要求410は、どの１つ以上の帯域をネットワーク100がUE110に対して測定を実行させることを望み得るかを含んでもよい。さらに、この要求410は、ネットワーク100が測定能力を知るためにどのCA帯域の組み合わせ又は周波数帯域のリストに関心を有するかを含んでもよい。初期設定では、現在のCAの組み合わせは、eNB（eNB1  112）が関心を有するCA帯域の組み合わせと考えられるべきである。これをサポートするために、ここで説明する新たなIEが無線リソース制御（RRC：radio  resource  control）シグナリングにおいて提供される。
【００１５】
次に、UE110は、好ましい測定ギャップ設定「CA特有MG応答」で応答してもよい。例えば、UE110は、eNBの関心毎に別々に各サービング周波数の測定ギャップの要件及び好ましい測定ギャップパターンを通知することができる。或いは、UE110は、全てのサポートされる帯域の組み合わせ又は要求された帯域の組み合わせのそれぞれの帯域の組み合わせにおいて、各サービング周波数の全てのサポートされる周波数帯域の測定ギャップの要件及び好ましい測定ギャップパターンを通知することができる。これをサポートするために、ここで説明する新たなIEがRRCシグナリングにおいて提供される。次に、ネットワーク100は、「CA特有測定ギャップ設定」414IEを少なくとも含むメッセージをUE110に送信する。
eNB（eNB1  112）は、各サービング周波数の測定ギャップパターンを設定することができる。これは、いくつかの場合には、１つ以上のサービング周波数の測定ギャップが存在しない可能性があることを意味する。
【００１６】
他の実施例では、どの帯域の組み合わせが測定ギャップ又はミニギャップを必要とするか、或いはギャップを必要としないかをUE110が示すことを可能にするために、新たな信号構成が提供される。１つ以上の実施例では、ギャップタイプは、通常測定ギャップ、ミニギャップ若しくはギャップ必要なし、又はこれらのギャップタイプのサブセット、又はこれらの組み合わせでもよい。スモールギャップ又は中断ギャップとも呼ばれることがあるミニギャップは、サービング周波数において下りリンク送信が存在し、RFチューニングが発生したときにより小さい値の中断で、例えば、1ミリ秒以下で、UE110が他のRF帯域又はチェーンを使用してサービング周波数において下りリンク送信を受信することができることを示す。現在、RF実装は、UE110次第であり、ネットワーク110は、UE110のRF設定を認識しない。このような構成を保持するために、UE110は、全測定ギャップがこの期間中に下りリンクデータ送信なしに帯域の組み合わせのために必要であるか、或いはミニギャップ又はギャップなしが十分に必要であるかを示してもよい。例えば、前述の図３に示すRF能力の例を使用して、UE110は、２つのRFチェーンを有してもよく、RFチェーン1を使用して帯域X及び帯域Yをサポートすることができ、RFチェーン2を使用して帯域Z及び帯域Lをサポートすることができる。UE110の現在のサービング帯域がデータ通信のために帯域Xで設定されている場合、前述のようにRFチェーン1及び2で実装されたUE110は、以下のRF能力をネットワークに示すべきである。
【００１７】
【表２】
2020167706.tif 000004
UE110が前述の帯域の組み合わせを示すことを可能にするために、以下に示すように、考えられる情報要素（IE）が導入されてもよい。以下に示すUE-EUTRA-Capability  IEは、E-UTRA  UE無線アクセス能力パラメータ及び必須機能の機能グループインジケータをネットワーク100に伝えるために使用されてもよい。以下のUE-EUTRA-Capability  IEは、E-UTRA又は他のRATを介して転送されてもよい。
【００１８】
【表３】
2020167706.tif 000005
以下に示す他のUE-EUTRA-Capabilityもまた、E-UTRA  UE無線アクセス能力パラメータ及び必須機能の機能グループインジケータをネットワークに伝えるために使用されてもよい。以下のUE-EUTRA-Capability  IEは、E-UTRA又は他のRATを介して転送されてもよい。
【００１９】
【表４】
2020167706.tif 000006
更に他の実施例では、UE110は、UE110がサポートするRF帯域の組み合わせがどれかを示してもよい。この実施例では、UE110は、UE110がサポートするRF帯域の組み合わせを示し、これにより、ネットワーク110は、最適な測定ギャップパターンを設定することができる。例えば、UE110のRF帯域の組み合わせは以下のように示されてもよい。
【００２０】
【表５】
2020167706.tif 000007
前述の指示に示すように、UE110は、RFインデックス1及びRFインデックス2を有する２つのRFの組み合わせを有する。RFインデックス1は、帯域A、X及びYをサポートすることができる。RFインデックス2は、帯域B、Z及びLをサポートすることができる。UE110は、以下に示す例示的な情報要素（IE）を使用して、前述のRF帯域の組み合わせを示してもよい。以下に示すUE-EUTRA-Capability  IEは、E-UTRA  UE無線アクセス能力パラメータ及び必須機能の機能グループインジケータをネットワーク100に伝えるために使用されてもよい。以下のUE-EUTRA-Capability  IEは、E-UTRA又は他のRATを介して転送されてもよい。
【００２１】
【表６】
2020167706.tif 000008
次に図５を参照して、１つ以上の実施例に従ってキャリアアグリゲーションの測定ギャップのための無線周波数及び帯域能力を実装することができる情報処理システムのブロック図について説明する。図５の情報処理システム500は、例えば、特定のデバイスのハードウェア仕様に依存して、より多いコンポーネント又はより少ないコンポーネントを用いたネットワーク100の要素を含み、ここに記載のネットワーク要素のいずれか１つ以上を明白に具現してもよい。一実施例では、情報処理システム500は、サービングセルを介してネットワークに接続し、UEの測定ギャップ能力をネットワークに示し、測定ギャップ能力は、UEがキャリアアグリゲーション（CA）特有測定ギャップをサポートするか否かと、UEが２つ以上の無線周波数（RF）チェーンを有するか否かとの情報を含み、２つ以上のRFチェーンの情報に基づいてネットワークからCA特有測定ギャップ設定を受信する回路を含むユーザ装置（UE）を明白に具現してもよい。他の実施例では、情報処理システムは、サービングセルを介してネットワークに接続し、UEの測定ギャップ能力をネットワークに示し、測定ギャップ能力は、複数の帯域の測定ギャップタイプの指示と共に、UEの２つ以上の無線周波数（RF）チェーンの複数の帯域のリストを含み、２つ以上のRFチェーンについてネットワークから測定ギャップ設定を受信する回路を含むユーザ装置（UE）の装置を明白に具現してもよい。更に他の実施例では、情報処理システム500は、キャリアアグリゲーション（CA）特有測定ギャップ能力要求をユーザ装置（UE）に送信し、UEからCA特有測定ギャップ能力応答を受信し、UEに対して設定メッセージに従って測定ギャップ測定を実行させるために、CA特有測定ギャップ設定メッセージをUEに送信する回路を含むeNB（enhanced  Node  B）を明白に具現してもよい。情報処理システム500は、複数の種類のコンピューティングプラットフォームの一例を表すが、情報処理システム500は、図５に示す要素より多い要素若しくは少ない要素及び／又は異なる配置を含んでもよく、特許請求の範囲の対象物の範囲はこれらの点に限定されない。
【００２２】
１つ以上の実施例では、情報処理システム500は、アプリケーションプロセッサ510とベースバンドプロセッサ512とを含んでもよい。アプリケーションプロセッサ510は、情報処理システム500のためのアプリケーション及び様々なサブシステムを実行するための汎用プロセッサとして利用されてもよい。アプリケーションプロセッサ510は、単一のコアを含んでもよく、或いは複数の処理コアを含んでもよい。コアの１つ以上は、デジタルシグナルプロセッサ又はデジタルシグナル処理（DSP：digital  signal  processing）コアを含んでもよい。さらに、アプリケーションプロセッサ510は、同じチップに配置されたグラフィックプロセッサ又はコプロセッサを含んでもよく、或いはアプリケーションプロセッサ510に結合されたグラフィックプロセッサは、別の分離したグラフィックチップを含んでもよい。アプリケーションプロセッサ510は、キャッシュメモリのようなオンボードメモリを含んでもよく、さらに、動作中にアプリケーションを記憶及び／又は実行するためのシンクロナスランダムアクセスメモリ（SDRAM）514、及び／又は情報処理システム500が電源オフであるときであってもアプリケーション及び／又はデータを記憶するためのNANDフラッシュ816のような外部メモリデバイスに結合されてもよい。１つ以上の実施例では、ここに記載のように動作するために情報処理システム500及び／又はそのコンポーネント若しくはサブシステムのいずれかを動作又は設定するための命令は、過渡的でない記憶媒体を含む製造物に記憶されてもよい。１つ以上の実施例では、記憶媒体は、ここに図示及び記載するメモリデバイスのいずれかを含んでもよいが、特許請求の範囲の対象物の範囲はこの点に限定されない。ベースバンドプロセッサ512は、情報処理システム500のブロードバンド無線機能を制御してもよい。ベースバンドプロセッサ512は、このようなブロードバンド無線機能を制御するためのコードをNORフラッシュ518に記憶してもよい。ベースバンドプロセッサ512は、ブロードバンドネットワーク信号を変調及び／復調するため、例えば、3GPP  LTE又はLTE-Advancedネットワーク等を介して通信するために使用される無線広域ネットワーク（WWAN）トランシーバ520を制御する。
【００２３】
一般的に、WWANトランシーバ520は、GSM（登録商標）（Global  System  for  Mobile  Communications）無線通信技術、GPRS（General  Packet  Radio  Service）無線通信技術、EDGE（Enhanced  Data  Rates  for  GSM  Evolution）無線通信技術、及び／又は3GPP（Third  Generation  Partnership  Project）無線通信技術を含むが、これらに限定されない無線通信技術及び／又は標準のうちいずれか１つ以上、例えば、WiGig、IEEE802.11ad、IEEE802.11ay等のような一般的に10-90GHzで動作する無線システム及び／又は一般的な遠隔測定トランシーバ、並びに一般的にいずれかの種類のRF回路又はRFI感知回路のための、UMTS（Universal  Mobile  Telecommunications  System、FOMA（Freedom  of  Multimedia  Access）、3GPP  LTE（Long  Term  Evolution）、3GPP  LTE  Advanced（Long  Term  Evolution  Advanced）、CDMA2000（Code  division  multiple  access  2000）、CDPD（Cellular  Digital  Packet  Data）、Mobitex、3G（Third  Generation）、CSD（Circuit  Switched  Data）、HSCSD（High-Speed  Circuit-Switched  Data）、UMTS(3G)（Universal  Mobile  Telecommunications  System  (Third  Generation)）、W-CDMA(UMTS)（Wideband  Code  Division  Multiple  Access  (Universal  Mobile  Telecommunications  System)）、HSPA（High  Speed  Packet  Access）、HSDPA（High-Speed  Downlink  Packet  Access）、HSUPA（High-Speed  Uplink  Packet  Access）、HSPA+（High  Speed  Packet  Access  Plus）、UMTS-TDD（Universal  Mobile  Telecommunications  System-Time-Division  Duplex）、TD-CDMA（Time  Division-Code  Division  Multiple  Access）、TD-CDMA（Time  Division-Synchronous  Code  Division  Multiple  Access）、3GPP  Rel.8  (Pre-4G)  3rd  Generation  Partnership  Project  Release  8  (Pre-4th  Generation)）、3GPP  Rel.  9（3rd  Generation  Partnership  Project  Release  9）、3GPP  Rel.  10（3rd  Generation  Partnership  Project  Release  10）、3GPP  Rel.  11（3rd  Generation  Partnership  Project  Release  11）、3GPP  Rel.  12（3rd  Generation  Partnership  Project  Release  12）、3GPP  Rel.  13（3rd  Generation  Partnership  Project  Release  12）、3GPP  Rel.  14（3rd  Generation  Partnership  Project  Release  12）、3GPP  LTE  Extra、LTE  LAA（Licensed-Assisted  Access）、UTRA（UMTS  Terrestrial  Radio  Access）、E-UTRA（Evolved  UMTS  Terrestrial  Radio  Access）、LTE  Advanced  (4G)（Long  Term  Evolution  Advanced  (4th  Generation)）、cdmaOne  (2G)、CDMA2000  (3G)（Code  division  multiple  access  2000  (Third  generation)）、EV-DO（Evolution-Data  Optimized  or  Evolution-Data  Only）、AMPS  (1G)（Advanced  Mobile  Phone  System  (1st  Generation)）、TACS/ETACS（Total  Access  Communication  System/Extended  Total  Access  Communication  System）、D-AMPS  (2G)（Digital  AMPS  (2nd  Generation)）、PTT（Push-to-talk）、MTS（Mobile  Telephone  System）、IMTS（Improved  Mobile  Telephone  System）、AMTS（Advanced  Mobile  Telephone  System）、OLT（Offentlig Landmobil  Telefoni、Public  Land  Mobile  Telephonyのノルウェー語）、MTD（Mobiltelefonisystem  D又はMobile  telephony  system  Dのスウェーデン語の略称）、Autotel/PALM（Public  Automated  Land  Mobile）、ARP（Autoradiopuhelin、「車載無線電話」のフィンランド語）、NMT（Nordic  Mobile  Telephony）、Hicap（High  capacity  version  of  NTT  (Nippon  Telegraph  and  Telephone)）、CDPD（Cellular  Digital  Packet  Data）、Mobitex、DataTAC、iDEN（Integrated  Digital  Enhanced  Network）、PDC（Personal  Digital  Cellular）、CSD（Circuit  Switched  Data）、PHS（Personal  Handy-phone  System）、WiDEN（Wideband  Integrated  Digital  Enhanced  Network）、iBurst、3GPP  GAN（Generic  Access  Network）標準とも呼ばれるUMA（Unlicensed  Mobile  Access）、Zigbee、Bluetooth（登録商標）、WiGig（Wireless  Gigabit  Alliance）標準、ミリメートル波（mmWave）標準に従って動作してもよい。こ��ような標準は時間と共に進化することがあり、及び／又は新たな標準が公開されることがあり、特許請求の範囲の対象物の範囲はこの点に限定されない点に留意すべきである。
【００２４】
WWANトランシーバ520は、WWANブロードバンドネットワークを介して無線周波数信号を送信及び受信するために、１つ以上のアンテナ524にそれぞれ結合された１つ以上の電力アンプ542に結合する。ベースバンドプロセッサ512はまた、１つ以上の適切なアンテナ528に結合された無線ローカルエリアネットワーク（WLAN）トランシーバ526を制御してもよく、Wi-Fi、Bluetooth、及び／又はIEEE802.11a/b/g/n標準等を含む振幅変調（AM：amplitude  modulation）若しくは周波数変調（FM：frequency  modulation）無線標準を介して通信することができてもよい。これらはアプリケーションプロセッサ510及びベースバンドプロセッサ512の単なる例示的な実装であり、特許請求の範囲の対象物の範囲はこれらの点に限定されない点に留意すべきである。例えば、SDRAM514、NANDフラッシュ516及び／又はNORフラッシュ518のいずれか１つ以上は、磁気メモリ、カルコゲニド（chalcogenide）メモリ、相変化メモリ又はオボニックメモリのような他の種類のメモリ技術を含んでもよく、特許請求の範囲の対象物の範囲はこの点に限定されない。
【００２５】
１つ以上の実施例では、アプリケーションプロセッサ510は、様々な情報又はデータを表示するためにディスプレイ530を駆動してもよく、タッチスクリーン532を介して、例えば指又はスタイラスを介して、ユーザからタッチ入力を更に受信してもよい。周辺光センサ534は、例えば、周辺光センサ534により検出された周辺光の強度の関数としてディスプレイ530の輝度又はコントラスト値を制御するために、情報処理システム500が動作している周辺光の量を検出するために利用されてもよい。１つ以上のカメラ536は、アプリケーションプロセッサ510により処理されるか、及び／又はNANDフラッシ516に少なくとも一時的に記憶される画像をキャプチャするために利用されてもよい。さらに、アプリケーションプロセッサは、情報処理システム500の位置、動き及び／又は方向を含む様々な環境特性の検出のために、ジャイロスコープ538、加速度計540、磁力計542、オーディオコーダ／デコーダ（CODEC）544及び／又は適切なGPSアンテナ548に結合されたグローバルポジショニングシステム（GPS）コントローラ546に結合されてもよい。或いは、コントローラ846は、GNSS（Global  Navigation  Satellite  System）コントローラを含んでもよい。オーディオCODEC544は、オーディオポート550を介して、例えば、ヘッドフォン及びマイクロフォンジャックを介して情報処理システムに結合された内部デバイス及び／又は外部デバイスのいずれかを介して、マイクロフォン入力及びスピーカ出力を提供するために、１つ以上のオーディオポート550に結合されてもよい。さらに、アプリケーションプロセッサ510は、USB（universal  serial  bus）ポート、HDMI（登録商標）（high-definition  multimedia  interface）ポート、シリアルポート等のような１つ以上のI/Oポート554に結合するために、１つ以上の入出力（I/O）トランシーバ552に結合してもよい。さらに、I/Oトランシーバ552の１つ以上は、SD（secure  digital）カード又はSIM（subscriber  identity  module）カードのような任意選択の取り外し可能メモリのための１つ以上のメモリスロット556に結合してもよいが、特許請求の範囲の対象物の範囲はこれらの点に限定されない。
【００２６】
次に図６を参照して、１つ以上の実施例に従ってタッチスクリーンを任意選択で含み得る図５の情報処理システムの等角図について説明する。図６は、セルラ電話、スマートフォン又はタブレット型デバイス等として明白に具現された図５の情報処理システム500の例示的な実装を示す。情報処理システム500は、１つ以上のアプリケーションプロセッサ510を制御するために、ユーザの指616及び／又はスタイラス618を介して触感入力制御及びコマンドを受信するための、タッチスクリーン532を含んでもよいディスプレイ530を有する筐体610を含んでもよい。筐体610は、情報処理システム500の１つ以上のコンポーネント、例えば、１つ以上のアプリケーションプロセッサ510、SDRAM514、NANDフラッシュ516、NORフラッシュ518、ベースバンドプロセッサ512及び／又はWWANトランシーバ520の１つ以上を収容してもよい。情報処理システム500は、１つ以上のブタン又はスイッチを介して情報処理システムを制御するためのキーボード又はボタンを含んでもよい物理作動エリア620を任意選択で更に含んでもよい。情報処理システム500はまた、例えば、SD（secure  digital）カード又はSIM（subscriber  identity  module）カードの形式のフラッシュメモリのような不揮発性メモリを受け入れるためのメモリポート又はスロット556を含んでもよい。任意選択で、情報処理システム500は、１つ以上のスピーカ及び／又はマイクロフォン624と、情報処理システム500を他の電子デバイス、ドック、ディスプレイ、充電器等に接続するための接続ポート554とを更に含んでもよい。さらに、情報処理システム500は、筐体610の１つ以上の側面にヘッドフォン又はスピーカジャック628と１つ以上のカメラ536とを含んでもよい。様々な配置では、図６の情報処理システム500は、図示のものより多くの要素又は少ない要素を含んでもよく、特許請求の範囲の対象物の範囲はこの点に限定されない点に留意すべきである。
【００２７】
ここで使用される「回路」という用語は、１つ以上のソフトウェア又はファームウェアプログラムを実行する特定用途向け集積回路（ASIC）、電子回路、プロセッサ（共有、専用又はグループ）及び／又はメモリ（共有、専用又はグループ）、組み合わせ論理回路、及び／又は記載の機能を提供する他の適切なハードウェアコンポーネントを示してもよく、これらの一部でもよく、或いはこれらを含んでもよい。いくつかの実施例では、回路は、１つ以上のソフトウェア又はファームウェアモジュールに実装されてもよく、或いは回路に関連する機能は、１つ以上のソフトウェア又はファームウェアモジュールにより実装されてもよい。いくつかの実施例では、回路は、少なくとも部分的にハードウェアで動作可能なロジックを含んでもよい。ここに記載の実施例は、いずれか適切に構成されたハードウェア及び／又はソフトウェアを使用してシステムに実装されてもよい。
【００２８】
次に図７を参照して、１つ以上の実施例による無線デバイスの例示的なコンポーネントの図について説明する。ユーザ装置（UE）は、例えば、ネットワーク100のUE110に対応してもよいが、特許請求の範囲の対象物の範囲はこの点に限定されない。いくつかの実施例では、UEデバイス700は、少なくとも図示のように共に結合されたアプリケーション回路702と、ベースバンド回路704と、無線周波数（RF）回路706と、フロントエンドモジュール（FEM）回路708と、１つ以上のアンテナ710とを含んでもよい。
【００２９】
アプリケーション回路702は、１つ以上のアプリケーションプロセッサを含んでもよい。例えば、アプリケーション回路702は、１つ以上の単一コア又はマルチコアプロセッサのような回路を含んでもよいが、これに限定されない。１つ以上のプロセッサは、汎用プロセッサと専用プロセッサ、例えば、グラフィックプロセッサ、アプリケーションプロセッサ等とのいずれかの組み合わせを含んでもよい。プロセッサは、メモリ及び／又は記憶装置に結合されてもよく、及び／又はこれらを含んでもよく、様々なアプリケーション及び／又はオペレーティングシステムがシステムで実行することを可能にするためにメモリ及び／又は記憶装置に記憶された命令を実行するように構成されてもよい。
【００３０】
ベースバンド回路704は、１つ以上の単一コア又はマルチコアプロセッサのような回路を含んでもよいが、これに限定されない。ベースバンド回路704は、RF回路706の受信信号経路から受信したベースバンド信号を処理し、RF回路706の送信信号経路のためのベースバンド信号を生成するための１つ以上のベースバンドプロセッサ及び／又は制御ロジックを含んでもよい。ベースバンド処理回路704は、ベースバンド信号の生成及び処理並びにRF回路706の動作の制御のために、アプリケーション回路702とインタフェース接続してもよい。例えば、いくつかの実施例では、ベースバンド回路704は、第２世代（2G）ベースバンドプロセッサ704a、第３世代（3G）ベースバンドプロセッサ704b、第４世代（4G）ベースバンドプロセッサ704c及び／又は他の既存の世代、開発中の世代若しくは将来開発される世代、例えば、第５世代（5G）、第６世代（6G）等のための１つ以上の他のベースバンドプロセッサ704dを含んでもよい。ベースバンド回路704、例えば、ベースバンドプロセッサ704a〜704dの１つ以上は、RF回路706を介して１つ以上の無線ネットワークとの通信を可能にする様々な無線制御機能を処理してもよい。無線制御機能は、信号変調及び／又は復調、符号化及び／又は復号化、無線周波数シフト等を含んでもよいが、これらに限定されない。いくつかの実施例では、ベースバンド回路704の変調及び／又は復調回路は、高速フーリエ変換（FFT）、プリコーディング及び／又はコンステレーションマッピング及び／又はデマッピング機能を含んでもよい。いくつかの実施例では、ベースバンド回路804の符号化及び／又は復号化回路は、畳み込み、テールバイティング（tail-biting）畳み込み、ターボ、ビタビ及び／又は低密度パリティ検査（LDPC：Low  Density  Parity  Check）符号化器及び／又は復号化器の機能を含んでもよい。変調及び／又は復調並びに符号化器及び／又は復号化器の機能の実施例は、これらの例に限定されず、他の実施例では他の適切な機能を含んでもよい。
【００３１】
いくつかの実施例では、ベースバンド回路704は、例えば、物理（PHY）、媒体アクセス制御（MAC）、無線リンク制御（RLC）、パケットデータコンバージェンスプロトコル（PDCP）及び／又は無線リソース制御（RRC）要素を含むEUTRAN（evolved  universal  terrestrial  radio  access  network）プロトコルの要素のようなプロトコルスタックの要素を含んでもよい。ベースバンド回路704のプロセッサ704eは、PHY、MAC、RLC、PDCP及び／又はRRCレイヤのシグナリングのためのプロトコルスタックの要素を実行するように構成されてもよい。いくつかの実施例では、ベースバンド回路は、１つ以上のオーディオデジタルシグナルプロセッサ（DSP）704fを含んでもよい。１つ以上のオーディオDSP704fは、圧縮及び／又は解凍及び／又はエコーキャンセルのための要素を含んでもよく、他の実施例では他の適切な処理要素を含んでもよい。いくつかの実施例では、ベースバンド回路のコンポーネントは、単一のチップ又は単一のチップセットに適切に結合されてもよく、或いは同じ回路基板上に配置されてもよい。いくつかの実施例では、ベースバンド回路704及びアプリケーション回路702の構成のコンポーネントの一部又は全部は、例えば、システム・オン・チップ（SOC：system  on  a  chip）のように一緒に実装されてもよい。
【００３２】
いくつかの実施例では、ベースバンド回路704は、１つ以上の無線技術と適合した通信を提供してもよい。例えば、いくつかの実施例では、ベースバンド回路704は、EUTRAN（evolved  universal  terrestrial  radio  access  network）及び／又は他の無線メトロポリタンエリアネットワーク（WMAN）、無線ローカルエリアネットワーク（WLAN）、無線パーソナルエリアネットワーク（WPAN）との通信をサポートしてもよい。ベースバンド回路804が１つより多くの無線プロトコルの無線通信をサポートするように構成される実施例は、マルチモードベースバンド回路と呼ばれてもよい。
【００３３】
RF回路706は、非固体媒体を通じた変調電磁放射を使用して無線ネットワークとの通信を可能にしてもよい。様々な実施例では、RF回路706は、無線ネットワークとの通信を実現するために、スイッチ、フィルタ、増幅器等を含んでもよい。RF回路706は、FEM回路708から受信したRF信号をダウンコンバートし、ベースバンド信号をベースバンド回路704に提供するための回路を含んでもよい受信信号経路を含んでもよい。RF回路706はまた、ベースバンド回路704により提供されたベースバンド信号をアップコンバートし、送信のためにRF出力信号をFEM回路708に提供するための回路を含んでもよい送信信号経路を含んでもよい。
【００３４】
いくつかの実施例では、RF回路706は、受信信号経路と送信信号経路とを含んでもよい。RF回路706の受信信号経路は、ミキサ回路706aと、増幅器回路706bと、フィルタ回路706cとを含んでもよい。RF回路706の送信信号経路は、フィルタ回路706cと、ミキサ回路706aとを含んでもよい。RF回路706はまた、受信信号経路及び送信信号経路のミキサ回路706aにより使用される周波数を合成するための合成回路706dを含んでもよい。いくつかの実施例では、受信信号経路のミキサ回路706aは、合成回路706dにより提供された合成周波数に基づいてFEM回路708から受信したRF信号をダウンコンバートするように構成されてもよい。増幅器回路706bは、ダウンコンバートされた信号を増幅するように構成されてもよく、フィルタ回路706cは、ダウンコンバートされた信号から不要な信号を除去し、出力ベースバンド信号を生成するように構成された低域通過フィルタ（LPF：low-pass  filter）又は帯域通過フィルタ（BPF：band-pass  filter）でもよい。出力ベースバンド信号は、更なる処理のためにベースバンド回路704に提供されてもよい。いくつかの実施例では、出力ベースバンド信号は、ゼロ周波数のベースバンド信号でもよいが、これは要件ではない。いくつかの実施例では、受信信号経路のミキサ回路706aは、受動ミキサを含んでもよいが、実施例の範囲はこの点に限定されない。
【００３５】
いくつかの実施例では、送信信号経路のミキサ回路706aは、合成回路706dにより提供された合成周波数に基づいて入力ベースバンド信号をアップコンバートし、FEM回路708のためのRF出力信号を生成するように構成されてもよい。ベースバンド信号は、ベースバンド回路1004により提供されてもよく、フィルタ回路706cによりフィルタリングされてもよい。フィルタ回路706cは、低域通過フィルタ（LPF）を含んでもよいが、実施例の範囲はこの点に限定されない。
【００３６】
いくつかの実施例では、受信信号経路のミキサ回路706a及び送信信号経路のミキサ回路706aは、２つ以上のミキサを含んでもよく、それぞれ直交ダウンコンバート及び／又はアップコンバートのために構成されてもよい。いくつかの実施例では、受信信号経路のミキサ回路706a及び送信信号経路のミキサ回路706aは、２つ以上のミキサを含んでもよく、イメージ除去、例えば、Hartleyイメージ除去のために構成されてもよい。いくつかの実施例では、受信信号経路のミキサ回路706a及びミキサ回路706aは、それぞれ直接ダウンコンバート及び／又は直接アップコンバートのために構成されてもよい。いくつかの実施例では、受信信号経路のミキサ回路706a及び送信信号経路のミキサ回路706aは、スーパーヘテロダイン（super-heterodyne）動作のために構成されてもよい。
【００３７】
いくつかの実施例では、出力ベースバンド信号及び入力ベースバンド信号は、アナログベースバンド信号でもよいが、実施例の範囲はこの点に限定されない。いくつかの別の実施例では、出力ベースバンド信号及び入力ベースバンド信号は、デジタルベースバンド信号でもよい。これらの別の実施例では、RF回路706は、アナログ−デジタル変換器（ADC）及びデジタル−アナログ変換器（DAC）回路を含んでもよく、ベースバンド回路704は、RF回路706と通信するためのデジタルベースバンドインタフェースを含んでもよい。いくつかのデュアルモードの実施例では、１つ以上のスペクトルの信号を処理するために別の無線集積回路（IC）回路が提供されてもよいが、実施例の範囲はこの点に限定されない。
【００３８】
いくつかの実施例では、合成回路706dは、フラクショナルNシンセサイザ（fractional-N  synthesizer）又はフラクショナルN/N+1シンセサイザ（fractional  N/N+1  synthesizer）でもよいが、他の種類の周波数シンセサイザが適切になり得るため、実施例の範囲はこの点に限定されない。例えば、合成回路706dは、デルタ・シグマシンセサイザ、周波数逓倍器、又は周波数分割器を備えた位相ロックループを含むシンセサイザでもよい。
【００３９】
合成回路706dは、周波数入力及び分割器制御入力に基づいてRF回路706のミキサ回路706aにより使用される出力周波数を合成するように構成されてもよい。いくつかの実施例では、合成回路706dは、フラクショナルN/N+1シンセサイザでもよい。
【００４０】
いくつかの実施例では、周波数入力は、電圧制御発振器（VCO：voltage  controlled  oscillator）により提供されてもよいが、これは要件ではない。分割器制御入力は、所望の出力周波数に依存してベースバンド回路704又はアプリケーションプロセッサ702により提供されてもよい。いくつかの実施例では、分割器制御入力（例えば、N）は、アプリケーションプロセッサ702により示されたチャネルに基づいてルックアップテーブルから決定されてもよい。
【００４１】
RF回路706の合成回路706dは、分割器、遅延ロックループ（DLL：delay-locked  loop）、マルチプレクサ及び位相累積器を含んでもよい。いくつかの実施例では、分割器は、デュアルモジュラス分割器（DMD：dual  modulus  divider）でもよく、位相累積器は、デジタル位相累積器（DPA：digital  phase  accumulator）でもよい。いくつかの実施例では、DMDは、例えば、分数分割比を提供するために、キャリーアウト（carry  out）に基づいてN又はN+1のいずれかで入力信号を分割するように構成されてもよい。いくつかの例示的な実施例では、DLLは、カスケード型のチューナブル遅延要素、位相検出器、チャージポンプ（charge  pump）及びD型フリップフロップのセットを含んでもよい。これらの実施例では、遅延要素は、VCO周期をNd個の等しい位相のパケットに分割するように構成されてもよく、Ndは、遅延線における遅延要素の数である。このように、DLLは、遅延線を通じた全遅延が１つのVCO周期になることを確保するのに役立てるために負のフィードバックを提供する。
【００４２】
いくつかの実施例では、合成回路706dは、出力周波数としてキャリア周波数を生成するように構成されてもよいが、他の実施例では、出力周波数は、キャリア周波数の倍数でもよく、例えば、キャリア周波数の２倍、キャリア周波数の４倍等でもよく、相互に複数の異なる位相を用いてキャリア周波数の複数の信号を生成するために、直交生成器及び分割回路と共に使用されてもよい。いくつかの実施例では、出力周波数は、局所発振器（LO）周波数（fLO）でもよい。いくつかの実施例では、RF回路1006は、同相及び直交位相（IQ）及び極性変換器を含んでもよい。
【００４３】
FEM回路708は、１つ以上のアンテナ710から受信したRF信号で動作し、受信信号を増幅し、更なる処理のために受信信号の増幅したものをRF回路706に提供するように構成された回路を含んでもよい受信信号経路を含んでもよい。FEM回路708はまた、１つ以上のアンテナ710のうち１つ以上による送信のために、RF回路706により提供された送信用の信号を増幅するように構成された回路を含んでもよい送信信号経路を含んでもよい。
【００４４】
いくつかの実施例では、FEM回路708は、送信モードと受信モード動作とを切り替えるための送信／受信（TX/RX）スイッチを含んでもよい。FEM回路708は、受信信号経路と送信信号経路とを含んでもよい。FEM回路708の受信信号経路は、受信RF信号を増幅し、増幅された受信RF信号を出力として、例えばRF回路706に提供するための低雑音増幅器（LNA：low-noise  amplifier）を含んでもよい。FEM回路708の送信信号経路は、例えばRF回路706により提供された入力RF信号を増幅するための電力増幅器（PA：power  amplifier）と、例えば１つ以上のアンテナ710によるその後の送信のためにRF信号を生成するための１つ以上のフィルタとを含んでもよい。いくつかの実施例では、UEデバイス700は、例えば、メモリ及び／又は記憶装置、ディスプレイ、カメラ、センサ、及び／又は入出力（I/O）インタフェースのような更なる要素を含んでもよいが、特許請求の範囲の対象物の範囲はこの点に限定されない。
【００４５】
以下は、ここに記載の対象物の例示的な実装である。ここに記載の例及びその変形のいずれかは、他の１つ以上の例又は変形のいずれかの並べ替え又は組み合わせで使用されてもよいが、特許請求の範囲の対象物の範囲はこれらの点に限定されない点に留意すべきである。例１では、ユーザ装置（UE）は、サービングセルを介してネットワークに接続し、UEの測定ギャップ能力をネットワークに示し、測定ギャップ能力は、UEがキャリアアグリゲーション（CA）特有測定ギャップをサポートするか否かと、UEが２つ以上の無線周波数（RF）チェーンを有するか否かとの情報を含み、２つ以上のRFチェーンの情報に基づいてネットワークからCA特有測定ギャップ設定を受信する回路を含む。例２では、例１又はここに記載の例のいずれかの対象物は、UE能力情報要素における少なくとも１つのビットを介してCA特有測定ギャップ能力を示す回路を含む。例３では、例１又はここに記載の例のいずれかの対象物は、RFチェーンの１つ以上が測定ギャップを設定することで複数の帯域のリストにおいて測定を実行するために利用されるべきか否かの指示と共に、２つ以上のRFチェーンに関連する周波数帯域のリストを示す回路を含む。例４では、例１又はここに記載の例のいずれかの対象物は、周波数帯域のリストにおいて測定を実行するための測定ギャップタイプの指示と共に、２つ以上のRFチェーンに関連する帯域のリストを示す回路を含む。例５では、例１又はここに記載の例のいずれかの対象物は、RFインデックスを介して帯域のリストと２つ以上のRFチェーンとの間の関連付けを示す回路を含む。例６では、例１又はここに記載の例のいずれかの対象物は、帯域の１つ以上が測定ギャップ測定設定に必要であるか否かの指示と共に、２つ以上のRFチェーンの帯域のリストを示す回路を含み、帯域が測定ギャップ測定に必要ない場合は、サービングセルのサービング周波数における下りリンク送信を示し、UEは、中断なしにサービング周波数において下りリンク送信を受信することができる。例７では、例１又はここに記載の例のいずれかの対象物は、無線リソース制御（RRC）シグナリングを介してUEの測定ギャップ能力を示す回路を含む。例８では、例１又はここに記載の例のいずれかの対象物は、回路を含み、測定ギャップ能力は、UEがネットワークからの特定のRF帯域要求をサポートするか否かの指示を含む。
例９では、例１又はここに記載の例のいずれかの対象物は、UEの測定ギャップ能力のためのネットワークからの要求への応答を含むRRCシグナリングをネットワークに送信する回路を含む。例１０では、例１又はここに記載の例のいずれかの対象物は、ネットワークから受信したCA特有測定ギャップ設定に従って測定ギャップ測定を実行する回路を含む。
【００４６】
例１１では、ユーザ装置（UE）の装置は、サービングセルを介してネットワークに接続し、UEの測定ギャップ能力をネットワークに示し、測定ギャップ能力は、複数の帯域の測定ギャップタイプの指示と共に、UEの２つ以上の無線周波数（RF）チェーンの複数の帯域のリストを含み、２つ以上のRFチェーンについてネットワークから測定ギャップ設定を受信する回路を含む。例１２では、例１１又はここに記載の例のいずれかの対象物は、回路を含み、ギャップタイプは、通常測定ギャップ、ミニギャップ若しくはギャップ必要なし、又はこれらのサブセット、又はこれらの組み合わせとすることができる。例１３では、例１１又はここに記載の例のいずれかの対象物は、回路を含み、ミニギャップは、サービングセルのサービング周波数における下りリンク送信が存在することを示し、UEは、より小さい値の中断で他の周波数を使用してサービング周波数において下りリンク送信を受信することができる。
【００４７】
例１４では、eNB（enhanced  Node  B）は、キャリアアグリゲーション（CA）特有測定ギャップ能力要求をユーザ装置（UE）に送信し、UEからCA特有測定ギャップ能力応答を受信し、UEに対して設定メッセージに従って測定ギャップ測定を実行させるために、CA特有測定ギャップ設定メッセージをUEに送信する回路を含む。例１５では、例１４又はここに記載の例のいずれかの対象物は、回路を含み、測定ギャップ能力応答は、UEがキャリアアグリゲーション（CA）特有測定ギャップをサポートするか否かと、UEが２つ以上の無線周波数（RF）チェーンを有するか否かとの情報を含み、eNBは、２つ以上のRFチェーンの測定ギャップ設定情報と共に、CA特有測定ギャップ設定メッセージをUEに送信する回路を含む。
【００４８】
例１６では、１つ以上のコンピュータ読み取り可能媒体は、ユーザ装置（UE）により実行された場合、サービングセルを介してネットワークに接続し、UEの測定ギャップ能力をネットワークに示し、測定ギャップ能力は、UEがキャリアアグリゲーション（CA）特有測定ギャップをサポートするか否かと、UEが２つ以上の無線周波数（RF）チェーンを有するか否かとの情報を含み、２つ以上のRFチェーンについてネットワークからCA特有測定ギャップ設定を受信することを生じる、記憶した命令を有する。例１７では、例１６又はここに記載の例のいずれかの対象物は、UEにより実行された場合、UE能力情報要素における少なくとも１つのビットを介して測定ギャップ能力を示すことを更に生じる命令を含む。例１８では、例１６又はここに記載の例のいずれかの対象物は、UEにより実行された場合、帯域の１つ以上が測定ギャップ測定に利用されるべきか否かの指示と共に、２つ以上のRFチェーンの複数の帯域のリストを示すことを更に生じる命令を含む。例１９では、例１６又はここに記載の例のいずれかの対象物は、UEにより実行された場合、複数の帯域の測定ギャップタイプの指示と共に、２つ以上のRFチェーンの複数の帯域のリストを示すことを更に生じる命令を含む。例２０では、例１６又はここに記載の例のいずれかの対象物は、RFインデックスを介して２つ以上のRFチェーンの複数の帯域のリストを示すことを更に生じる命令を含む。例２１では、例１６又はここに記載の例のいずれかの対象物は、UEにより実行された場合、帯域の１つ以上が測定ギャップ測定に必要であるか否かの指示と共に、２つ以上のRFチェーンの帯域のリストを示すことを更に生じる命令を含み、帯域が測定ギャップ測定に必要ない場合は、サービングセルのサービング周波数における下りリンク送信を示し、UEは、中断なしにサービング周波数において下りリンク送信を受信することができる。例２２では、例１６又はここに記載の例のいずれかの対象物は、UEにより実行された場合、無線リソース制御（RRC）シグナリングを介してUEの測定ギャップ能力を示すことを更に生じる命令を含む。例２３では、例１６又はここに記載の例のいずれかの対象物は、命令を含み、測定ギャップ能力は、UEがネットワークからの特定のRF帯域要求をサポートするか否かの指示を含む。例２４では、例１６又はここに記載の例のいずれかの対象物は、UEにより実行された場合、UEの測定ギャップ能力のためのネットワークからの要求への応答を含む無線リソース制御（RRC）シグナリングをネットワークに送信することを更に生じる命令を含む回路を含む。例２５では、例１６又はここに記載の例のいずれかの対象物は、UEにより実行された場合、ネットワークから受信したCA特有測定ギャップ設定に従って測定ギャップ測定を実行することを更に生じる命令を含む。
【００４９】
特許請求の範囲の対象物について特定の詳細度で説明したが、これらの要素は、特許請求の範囲の対象物の要旨及び／又は範囲を逸脱することなく、当業者により変更されてもよいことが認識されるべきである。キャリアアグリゲーション測定ギャップのためのユーザ装置の無線周波数及び帯域能力に関する対象物、並びにその付随する有用性の多くは、前述の説明によって理解されると考えられ、前述の形式は単に例示的な実施例であり、特許請求の範囲の対象物の要旨及び／又は範囲を逸脱することなく、或いはその実体上の利点を犠牲にすることなく、及び／又は実質的な変更を提供することなく、様々な変更がこれらのコンポーネントの形式、構成及び／又は配置において行われてもよいことが明らかである。このような変更を包含すること及び／又は含むことが、特許請求の範囲の意図である。
【図１】
2020167706.tif 000009
【図２】
2020167706.tif 000010
【図３】
2020167706.tif 000011
【図４】
2020167706.tif 000012
【図５】
2020167706.tif 000013
【図６】
2020167706.tif 000014
【図７】
2020167706.tif 000015
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）の装置であって、
前記ＵＥが測定ギャップ選好を提供するための要求フィールドｐｅｒＣＣ−ＧａｐＩｎｄｉｃａｔｉｏｎＲｅｑｕｅｓｔを含む、ｅＮＢ（ｅｖｏｌｖｅｄ  ＮｏｄｅＢ）から受信したＲＲＣＣｏｎｎｅｃｔｉｏｎＲｅｃｏｎｆｉｇｕｒａｔｉｏｎメッセージを復号化し、測定ギャップ選好フィールドｐｅｒＣＣ−ＬｉｓｔＧａｐＩｎｄｉｃａｔｉｏｎを含む、前記ｅＮＢのためのＲＲＣＣｏｎｎｅｃｔｉｏｎＲｅｃｏｎｆｉｇｕｒａｔｉｏｎＣｏｍｐｌｅｔｅメッセージを符号化する１つ以上のベースバンドプロセッサと、
前記測定ギャップ選好を記憶するメモリと、
を含み、前記測定ギャップ選好フィールドｐｅｒＣＣ−ＬｉｓｔＧａｐＩｎｄｉｃａｔｉｏｎは、前記ＵＥのキャリアアグリゲーションのために構成された２つ以上のセルのサービングセル識別子（ＩＤ）を含み、前記１つ以上のベースバンドプロセッサは、前記ＵＥがサービングセル毎の測定ギャップをサポートしているかどうかを前記ｅＮＢが示すための能力情報要素（ＩＥ）ＵＥ−ＥＵＴＲＡ−Ｃａｐａｂｉｌｉｔｙを符号化することになっている装置。
【請求項２】
前記ＲＲＣＣｏｎｎｅｃｔｉｏｎＲｅｃｏｎｆｉｇｕｒａｔｉｏｎＣｏｍｐｌｅｔｅメッセージは、前記ＵＥによって測定される周波数の数の指示を含む、請求項１に記載の装置。
【請求項３】
前記測定ギャップ選好フィールドｐｅｒＣＣ−ＬｉｓｔＧａｐＩｎｄｉｃａｔｉｏｎ  ＩＥは、示されたサービングセルのための測定ギャップのタイプを示す、請求項１に記載の装置。
【請求項４】
ｅｖｏｌｖｅｄ  ＮｏｄｅＢの装置であって、
ユーザ装置（ＵＥ）が測定ギャップ選好を提供するための要求フィールドｐｅｒＣＣ−ＧａｐＩｎｄｉｃａｔｉｏｎＲｅｑｕｅｓｔを含む、前記ＵＥのためのＲＲＣＣｏｎｎｅｃｔｉｏｎＲｅｃｏｎｆｉｇｕｒａｔｉｏｎメッセージを符号化し、測定ギャップ選好フィールドｐｅｒＣＣ−ＬｉｓｔＧａｐＩｎｄｉｃａｔｉｏｎを含む、前記ＵＥからのＲＲＣＣｏｎｎｅｃｔｉｏｎＲｅｃｏｎｆｉｇｕｒａｔｉｏｎＣｏｍｐｌｅｔｅメッセージを複合化する１つ以上のベースバンドプロセッサと、
前記測定ギャップ選好を記憶するメモリと、
を含み、前記測定ギャップ選好フィールドｐｅｒＣＣ−ＬｉｓｔＧａｐＩｎｄｉｃａｔｉｏｎは、前記ＵＥのキャリアアグリゲーションのために構成された２つ以上のセルのサービングセル識別子（ＩＤ）を含み、前記１つ以上のベースバンドプロセッサは、前記ＵＥがサービングセル毎の測定ギャップをサポートしているかどうかを示す前記ＵＥからの能力情報要素（ＩＥ）ＵＥ−ＥＵＴＲＡ−Ｃａｐａｂｉｌｉｔｙを複合化することになっている装置。
【請求項５】
前記ＲＲＣＣｏｎｎｅｃｔｉｏｎＲｅｃｏｎｆｉｇｕｒａｔｉｏｎＣｏｍｐｌｅｔｅメッセージは、前記ＵＥによって測定される周波数の数の指示を含む、請求項４に記載の装置。
【請求項６】
前記測定ギャップ選好フィールドｐｅｒＣＣ−ＬｉｓｔＧａｐＩｎｄｉｃａｔｉｏｎは、示されたサービングセルのための測定ギャップのタイプを示す、請求項４に記載の装置。
【請求項７】
実行された場合、
前記ＵＥが測定ギャップ選好を提供するための要求フィールドｐｅｒＣＣ−ＧａｐＩｎｄｉｃａｔｉｏｎＲｅｑｕｅｓｔを含む、ｅＮＢ（ｅｖｏｌｖｅｄ  ＮｏｄｅＢ）から受信したＲＲＣＣｏｎｎｅｃｔｉｏｎＲｅｃｏｎｆｉｇｕｒａｔｉｏｎメッセージを復号化し、
測定ギャップ選好フィールドｐｅｒＣＣ−ＬｉｓｔＧａｐＩｎｄｉｃａｔｉｏｎを含む、前記ｅＮＢのためのＲＲＣＣｏｎｎｅｃｔｉｏｎＲｅｃｏｎｆｉｇｕｒａｔｉｏｎＣｏｍｐｌｅｔｅメッセージを符号化し、前記測定ギャップ選好フィールドｐｅｒＣＣ−ＬｉｓｔＧａｐＩｎｄｉｃａｔｉｏｎは、前記ＵＥのキャリアアグリゲーションのために構成された２つ以上のセルのサービングセル識別子（ＩＤ）を含み、
前記ＵＥがサービングセル毎の測定ギャップをサポートしているかどうかを前記ｅＮＢが示すための能力情報要素（ＩＥ）ＵＥ−ＥＵＴＲＡ−Ｃａｐａｂｉｌｉｔｙを符号化することを生じる命令を記憶する１つ以上の非一時的コンピュータ読み取り可能媒体。
【請求項８】
前記ＲＲＣＣｏｎｎｅｃｔｉｏｎＲｅｃｏｎｆｉｇｕｒａｔｉｏｎＣｏｍｐｌｅｔｅメッセージは、前記ＵＥによって測定される周波数の数の指示を含む、請求項７に記載の１つ以上の非一時的コンピュータ読み取り可能媒体。
【請求項９】
前記測定ギャップ選好フィールドｐｅｒＣＣ−ＬｉｓｔＧａｐＩｎｄｉｃａｔｉｏｎは、示されたサービングセルのための測定ギャップのタイプを示す、請求項７に記載の１つ以上の非一時的コンピュータ読み取り可能媒体。
【請求項１０】
実行された場合、
ユーザ装置（ＵＥ）が測定ギャップ選好を提供するための要求フィールドｐｅｒＣＣ−ＧａｐＩｎｄｉｃａｔｉｏｎＲｅｑｕｅｓｔを含む、前記ＵＥのためのＲＲＣＣｏｎｎｅｃｔｉｏｎＲｅｃｏｎｆｉｇｕｒａｔｉｏｎメッセージを符号化し、
測定ギャップ選好フィールドｐｅｒＣＣ−ＬｉｓｔＧａｐＩｎｄｉｃａｔｉｏｎを含む、前記ＵＥからのＲＲＣＣｏｎｎｅｃｔｉｏｎＲｅｃｏｎｆｉｇｕｒａｔｉｏｎＣｏｍｐｌｅｔｅメッセージを複合化し、前記測定ギャップ選好フィールドｐｅｒＣＣ−ＬｉｓｔＧａｐＩｎｄｉｃａｔｉｏｎは、前記ＵＥのキャリアアグリゲーションのために構成された２つ以上のセルのサービングセル識別子（ＩＤ）を含み、
前記ＵＥがサービングセル毎の測定ギャップをサポートしているかどうかを示す前記ＵＥからの能力情報要素（ＩＥ）ＵＥ−ＥＵＴＲＡ−Ｃａｐａｂｉｌｉｔｙを複合化することを生じる命令を記憶する１つ以上の非一時的コンピュータ読み取り可能媒体。
【請求項１１】
前記ＲＲＣＣｏｎｎｅｃｔｉｏｎＲｅｃｏｎｆｉｇｕｒａｔｉｏｎＣｏｍｐｌｅｔｅメッセージは、前記ＵＥによって測定される周波数の数の指示を含む、請求項１０に記載の１つ以上の非一時的コンピュータ読み取り可能媒体。
【請求項１２】
前記測定ギャップ選好フィールドｐｅｒＣＣ−ＬｉｓｔＧａｐＩｎｄｉｃａｔｉｏｎは、示されたサービングセルのための測定ギャップのタイプを示す、請求項１０に記載の１つ以上の非一時的コンピュータ読み取り可能媒体。
【外国語明細書】
2020167706000001.pdf